(57)【要約】【課題】排気ガス中に含まれる微粒子を効率よく凝集させてフィルタにて捕集する排気ガス処理装置を提供する。【解決手段】本発明の排気ガス処理装置１は、排気ガスが通過する流路となる管体４と、管体４の内部に配置された、排気ガス６中に含まれる微粒子５を凝集させるための静電凝集器２と、静電凝集器２によって凝集させた微粒子１５を捕集するためのハニカムフィルタ３と、を備えた排気ガス処理装置１であって、静電凝集器２が、一の微粒子５に正又は負の電荷を与えるための第一の放電１７を生じさせる第一放電電極部７と、他の微粒子５に第一の放電１７とは異なる極性の電荷を与えるための第二の放電１８を生じさせる第二放電電極部８とを有する。【選択図】図１
2008051037.tif 000002
【特許請求の範囲】
【請求項１】
排気ガスが通過する流路となる管体と、前記管体の内部に配置された、前記排気ガス中に含まれる微粒子を凝集させるための静電凝集器と、前記静電凝集器によって凝集させた微粒子を捕集するためのハニカムフィルタと、を備えた排気ガス処理装置であって、
前記静電凝集器が、前記微粒子に正又は負の電荷を与えるための第一の放電を生じさせる第一放電電極部と、前記微粒子に前記第一の放電とは異なる極性の電荷を与えるための第二の放電を生じさせる第二放電電極部とを有する排気ガス処理装置。
【請求項２】
前記第一の放電と前記第二の放電によってそれぞれ極性の異なる電荷に帯電させた前記微粒子同士をクーロン力によって引き寄せあわせて、少なくとも空間で凝集させる請求項１に記載の排気ガス処理装置。
【請求項３】
前記管体の一部は、前記排気ガスの流れ方向に平行となるようにその内部空間が二つに仕切られて、第一流路と第二流路とが形成されており、
前記第一流路に前記第一放電電極部が配置されるとともに、前記第二流路に前記第二放電電極部が配置されている請求項１又は２に記載の排気ガス処理装置。
【請求項４】
前記第一放電電極部及び前記第二放電電極部の少なくとも一方は、前記管体の内側面を対向電極としてコロナ放電を行うように構成されたものである請求項１〜３のいずれか一項に記載の排気ガス処理装置。
【請求項５】
前記第一放電電極部及び前記第二放電電極部の少なくとも一方は、誘電体を有し、前記誘電体の表面に沿面放電を行うように構成されたものである請求項１〜３のいずれか一項に記載の排気ガス処理装置。
【請求項６】
前記第一放電電極部によって生じる前記第一の放電の荷電量と、前記第二放電電極部によって生じる前記第二の放電の荷電量とを、それぞれ独立して制御可能に構成された請求項１〜５のいずれか一項に記載の排気ガス処理装置。
【請求項７】
前記静電凝集器が、前記第一放電電極部及び前記第二放電電極部の少なくとも一方を二つ以上有するものであり、二つ以上の前記第一放電電極部及び／又は前記第二放電電極部が、前記管体の内部に、前記排気ガスの流れ方向にそれぞれ直列に配置されている請求項１〜６のいずれか一項に記載の排気ガス処理装置。
【請求項８】
前記ハニカムフィルタが、前記排気ガスが通過する流路となる複数のセルを区画形成する多孔質の隔壁を備え、一方の端部（フィルタ入口端部）が開口され且つ他方の端部（フィルタ出口端部）が目封じされた所定のセル（入口開放セル）と、前記フィルタ入口端部が目封じされ且つ前記フィルタ出口端部が開口された残余のセル（出口開放セル）とが交互に配設されてなるものである請求項１〜７のいずれか一項に記載の排気ガス処理装置。
【請求項９】
前記ハニカムフィルタは、前記隔壁の表面及び／又は前記隔壁の内部に触媒が担持されたものである請求項８に記載の排気ガス処理装置。
【請求項１０】
前記ハニカムフィルタは、そのセル密度が、５０〜３００セル／ｃｍ２のものである請求項８又は９に記載の排気ガス処理装置。
【請求項１１】
前記ハニカムフィルタは、その平均細孔径が、２０〜１５０μｍのものである請求項８〜１０のいずれか一項に記載の排気ガス処理装置。
【請求項１２】
前記ハニカムフィルタは、その気孔率が、３０〜８０％のものである請求項８〜１１のいずれか一項に記載の排気ガス処理装置。
【発明の詳細な説明】
【技術分野】
【０００１】
本発明は、排気ガス処理装置に関する。更に詳しくは、排気ガス中に含まれる微粒子を効率よく凝集させてフィルタにて捕集する排気ガス処理装置に関する。
【背景技術】
【０００２】
自動車用エンジン、建設機械用エンジン、産業機械用定置エンジン等の内燃機関、その他の燃焼機器等から排出される排気ガス中の微粒子や有害物質は、環境への影響を考慮して排気ガス中から除去する必要性が高まっている。特にディーゼルエンジンから排出される微粒子（以下「ＰＭ」ということがある）の除去に関する規制は世界的に強化される傾向にあり、ＰＭを除去するための捕集フィルタ（ディーゼルパティキュレートフィルタ：以下「ＤＰＦ」ということがある）としてハニカムフィルタの使用が注目され、種々のシステムが提案されている。
【０００３】
上記ＤＰＦは、通常、流体の流路となる複数のセルを区画形成する多孔質の隔壁を備え、一方の端部が開口され且つ他方の端部が目封止された所定のセル（所定のセル）と、一方の端部が目封止され且つ他方の端部が開口された残余のセル（残余のセル）とが交互に配設され、所定のセルが開口する一方の端部から流入した流体（排気ガス）を、隔壁を透過させて残余のセル内に透過流体として流出させ、透過流体を残余のセルが開口する他方の端部から流出させることにより、排気ガス中のＰＭを捕集除去するものである。
【０００４】
また、上記したようなＰＭを含む排気ガスを処理する排気ガス処理装置として、例えば、排気ガスが通過する流路の内部に設けた衝突ガイド部材に衝突させて凝集させた後、帯電体で負に帯電させて、正の帯電体に吸着させることにより、電気的に捕集するものが開示されている（特許文献１参照）。正の帯電体を通過したＰＭは、下流のフィルタで捕集され、正の帯電体に通電してヒーターとして機能させることで焼却除去される。
【０００５】
このような排気ガス処理装置は、流路構成が複雑となるため圧力損失が高くなる欠点があり、製作も容易ではない。また、十分な凝集効果が得られず、微粒子が凝集しないまま装置を通り抜けて放出されてしまう。
【０００６】
このようなことから、内燃機関の排気管により形成され該排気管の軸線方向に排ガスが流通する排気通路に、排気ガス中の排気微粒子を凝集させる凝集器として、両者の間に高電圧が印加されコロナ放電による電荷を授受する電荷放出及び電荷回収の２種類よりなる電極を、第１の種類の電極の電荷授受部が上記排気通路の径方向の略中心部に位置するように配設して、前記コロナ放電による電荷により排気微粒子を帯電し、電荷を回収する電極において凝集させる凝集器を備えた排気処理装置が開示されている（特許文献２参照）。
【０００７】
また、上記したような排気処理装置に用いられ、コロナ放電により帯電された排気微粒子を凝集部により凝集する排気処理装置用凝集器として、凝集部には、帯電部の排気ガス流れの下流側に配置される第１の導電性体を備え、第１の導電性体は、正電位に印加されている排気処理装置用凝集器が開示されている（特許文献３参照）。
【０００８】
更に、エンジンの排気経路に配設され、エンジンの排気ガスに含まれる粒子状物質を凝集して粒径の大きな粒子状物質（凝集ＰＭ）を生成するＰＭ凝集手段と、このＰＭ凝集手段より排気ガスの流れ方向下流に配設され、ＰＭ凝集手段により凝集された凝集ＰＭを捕集するＰＭ捕集手段とを備えた排気浄化装置が開示されている（特許文献４参照）。
【０００９】
【特許文献１】特開２００１−４１０２４号公報
【特許文献２】特開２００５−３２０９５５号公報
【特許文献３】特開２００５−３２４０９４号公報
【特許文献４】特開２００６−２９２６７号公報
【発明の開示】
【発明が解決しようとする課題】
【００１０】
しかしながら、特許文献２に開示された排気処理装置は、電荷により帯電させた微粒子を電界で移動させて、電荷を回収する電極（下流側の電極）にて凝集するものであるため、帯電させた微粒子が電極まで移動するための滞留時間を確保しなければならない。このため、十分な微粒子の凝集効果を得るためには、電極間の距離を長くする必要があり、装置が大型になってしまうという問題があった。このように排気処理装置が大型化した場合には、自動車等に設置して排気ガスを処理することが極めて困難になる。
【００１１】
また、この特許文献２に開示された排気処理装置においては、電荷を回収する電極（下流側の電極）の面積が極めて小さいため、多くの微粒子が電極に補足されることなく、電極をすり抜けてしまうことから、微粒子を凝集させる効果が少なく、実際には微粒子をほとんど凝集させることができないという問題もあった。
【００１２】
また、特許文献３に記載された排気処理装置用凝集器は、凝集部を構成する第１の導電性体に高電圧を印加して、帯電させた微粒子を引き寄せるように構成されたものであり、特許文献２に開示された排気処理装置と比較して、帯電させた微粒子の移動距離を短くすることができ、更に、凝集効果も高くなっている。しかしながら、電極（帯電部及び凝集部）の構成が極めて複雑であり、大きな振動等が加わる自動車等に用いることが困難であるという問題があった。また、この排気処理装置用凝集器においては、凝集部を構成する第１の導電性体に高電圧を印加して、帯電させた微粒子を引き寄せるように構成されたものであるが、カーボンが含まれる抵抗率の低い微粒子を付着させるため、絶縁構造が極めて難しく、実用的ではないという問題もあった。
【００１３】
また、通常、排気ガス中に含まれる微粒子は、上記した方法による凝集（電荷を与えて電極に引き寄せることによる凝集）とは他に、ブラウン運動の自由拡散によって互いに衝突を繰り返し、衝突した微粒子が結合することによって肥大化（凝集）が行われる。
【００１４】
上記した特許文献２及び３の排気処理装置においては、微粒子を負の電荷により帯電させるため、電極間を移動する微粒子は、単一の電荷（具体的には、負の電荷）を持った微粒子しか存在しないこととなる。単一の電荷を持った微粒子は、電気的反発力によって上記した衝突が阻害されることとなり、ブラウン運動による凝集はほとんど行われなくなってしまう。
【００１５】
また、特許文献４に記載された排気浄化装置に用いられるＰＭ凝集手段は、上記特許文献２及び３に示すような、電荷により帯電させた微粒子を電界で移動させて、電極（下流側の電極）にて凝集するものであるため、装置が大型化したり、構成が極めて複雑であり、大きな振動等が加わる自動車等に用いることが困難であるという問題があった。
【００１６】
本発明は、上述のような従来技術の課題を解決するためになされたものであり、排気ガス中に含まれる微粒子を効率よく凝集させてフィルタにて捕集する排気ガス処理装置を提供する。
【課題を解決するための手段】
【００１７】
本発明者らは、上記した従来技術の課題を解決するために鋭意検討した結果、排気ガス中に含まれる微粒子において、正の電荷を与えた微粒子と負の電荷を与えた微粒子とを、一つの排気系にて生成し、それぞれの電荷が与えられた微粒子を凝集させ、凝集させた微粒子をハニカムフィルタによって捕集することにより、前記課題が解決されることに想到し、本発明を完成させた。具体的には、本発明により、以下の排気ガス処理装置が提供される。
【００１８】
［１］  排気ガスが通過する流路となる管体と、前記管体の内部に配置された、前記排気ガス中に含まれる微粒子を凝集させるための静電凝集器と、前記静電凝集器によって凝集させた微粒子を捕集するためのハニカムフィルタと、を備えた排気ガス処理装置であって、前記静電凝集器が、前記微粒子に正又は負の電荷を与えるための第一の放電を生じさせる第一放電電極部と、前記微粒子に前記第一の放電とは異なる極性の電荷を与えるための第二の放電を生じさせる第二放電電極部とを有する排気ガス処理装置。
【００１９】
［２］  前記第一の放電と前記第二の放電によってそれぞれ極性の異なる電荷に帯電させた前記微粒子同士をクーロン力によって引き寄せあわせて、少なくとも空間で凝集させる前記［１］に記載の排気ガス処理装置。
【００２０】
［３］  前記管体の一部は、前記排気ガスの流れ方向に平行となるようにその内部空間が二つに仕切られて、第一流路と第二流路とが形成されており、前記第一流路に前記第一放電電極部が配置されるとともに、前記第二流路に前記第二放電電極部が配置されている前記［１］又は［２］に記載の排気ガス処理装置。
【００２１】
［４］  前記第一放電電極部及び前記第二放電電極部の少なくとも一方は、前記管体の内側面を対向電極としてコロナ放電を行うように構成されたものである前記［１］〜［３］のいずれかに記載の排気ガス処理装置。
【００２２】
［５］  前記第一放電電極部及び前記第二放電電極部の少なくとも一方は、誘電体を有し、前記誘電体の表面に沿面放電を行うように構成されたものである前記［１］〜［３］のいずれかに記載の排気ガス処理装置。
【００２３】
［６］  前記第一放電電極部によって生じる前記第一の放電の荷電量と、前記第二放電電極部によって生じる前記第二の放電の荷電量とを、それぞれ独立して制御可能に構成された前記［１］〜［５］のいずれかに記載の排気ガス処理装置。
【００２４】
［７］  前記静電凝集器が、前記第一放電電極部及び前記第二放電電極部の少なくとも一方を二つ以上有するものであり、二つ以上の前記第一放電電極部及び／又は前記第二放電電極部が、前記管体の内部に、前記排気ガスの流れ方向にそれぞれ直列に配置されている前記［１］〜［６］のいずれかに記載の排気ガス処理装置。
【００２５】
［８］  前記ハニカムフィルタが、前記排気ガスが通過する流路となる複数のセルを区画形成する多孔質の隔壁を備え、一方の端部（フィルタ入口端部）が開口され且つ他方の端部（フィルタ出口端部）が目封じされた所定のセル（入口開放セル）と、前記フィルタ入口端部が目封じされ且つ前記フィルタ出口端部が開口された残余のセル（出口開放セル）とが交互に配設されてなるものである前記［１］〜［７］のいずれかに記載の排気ガス処理装置。
【００２６】
［９］  前記ハニカムフィルタは、前記隔壁の表面及び／又は前記隔壁の内部に触媒が担持されたものである前記［８］に記載の排気ガス処理装置。
【００２７】
［１０］  前記ハニカムフィルタは、そのセル密度が、５０〜３００セル／ｃｍ２のものである前記［８］又は［９］に記載の排気ガス処理装置。
【００２８】
［１１］  前記ハニカムフィルタは、その平均細孔径が、２０〜１５０μｍのものである前記［８］〜［１０］のいずれかに記載の排気ガス処理装置。
【００２９】
［１２］  前記ハニカムフィルタは、その気孔率が、３０〜８０％のものである前記［８］〜［１１］のいずれかに記載の排気ガス処理装置。
【発明の効果】
【００３０】
本発明の排気ガス処理装置は、排気ガス中に含まれる微粒子において、第一の放電と第二の放電とによって、それぞれ極性の異なる電荷に帯電させた微粒子、即ち、正の電荷を与えた微粒子と負の電荷を与えた微粒子とを、一つの排気系にて生成し、それぞれの電荷に帯電させた微粒子を凝集させるため、微粒子を効率よく凝集させることができ、凝集させた微粒子をハニカムフィルタにて良好に捕集することができる。また、ブラウン運動の自由拡散による微粒子の衝突を阻害することがないため、ブラウン運動による微粒子の凝集効果についても期待することができる。特に、本実施形態の排気ガス処理装置は、それぞれ極性の異なる電荷に帯電させた微粒子同士をクーロン力によって引き寄せあわせて、少なくとも空間で凝集させることができるため、簡便且つ効率よく微粒子を凝集させることができる。
【００３１】
また、それぞれの電荷に帯電させた微粒子は、ハニカムフィルタの上流側の空間だけでなく、ハニカムフィルタに流入した後、その内部空間においても凝集が行われるため、微粒子を効率よく凝集させることができる。
【００３２】
また、本発明の排気ガス処理装置は、それぞれの電荷に帯電させた微粒子を、管体によって形成される流路内又はハニカムフィルタ内の空間中で凝集させるため、従来のような、微粒子を引き寄せるための電極等を用いる必要がなく、極めて簡素な構成であり、従来の排気ガス処理装置と比較して部品点数を大幅に削減することができる。このように簡素な構成であり、振動等によって破損し難いため、大きな振動等が加わる自動車の排気ガス処理装置としても好適に用いることができる。
【発明を実施するための最良の形態】
【００３３】
本発明を実施するための実施形態について図面を参照しながら説明するが、本発明は、これらに何ら限定されるものではなく、本発明の範囲を逸脱しない限りにおいて、当業者の知識に基づいて、種々の変更、修正、改良を加え得るものであることは言うまでもない。
【００３４】
［排気ガス処理装置］
図１は、本発明の排気ガス処理装置の一の実施形態を模式的に説明する説明図であり、排気ガスが通過する流路の流れ方向に平行な面で切断した断面図である。また、図２は、図１の排気ガス処理装置を構成する静電凝集器の構成を模式的に示す説明図であり、図３は、図２に示す静電凝集器を流路の流れ方向に垂直な面で切断した断面図である。
【００３５】
図１〜図３に示すように、本実施形態の排気ガス処理装置１は、排気ガス６が通過する流路となる管体４と、管体４の内部に配置された、排気ガス６中に含まれる微粒子５を凝集させるための静電凝集器２と、静電凝集器２によって凝集させた微粒子１５（以下、「凝集微粒子」ということがある）を捕集するためのハニカムフィルタ３と、を備えた排気ガス処理装置１であって、静電凝集器２が、一の微粒子５に正又は負の電荷を与えるための第一の放電１７を生じさせる第一放電電極部７と、他の微粒子５に第一の放電１７とは異なる極性の電荷を与えるための第二の放電１８を生じさせる第二放電電極部８とを有する排気ガス処理装置１である。
【００３６】
図１〜図３に示す排気ガス処理装置１を構成する静電凝集器２は、一の微粒子５に正の電荷を与えるための第一の放電１７を生じさせる正放電電極部（第一放電電極部７）と、他の微粒子５に負の電荷を与えるための第二の放電１８を生じさせる負放電電極部（第二放電電極部８）とを有するものである。
【００３７】
本実施形態の排気ガス処理装置１によれば、第一の放電１７と第二の放電１８とによって、それぞれ極性の異なる電荷に帯電された微粒子５、即ち、正の電荷を与えた微粒子５ａと負の電荷を与えた微粒子５ｂとを生成し、それぞれの電荷に帯電させた微粒子５ａ，５ｂを凝集させるため、微粒子５を効率よく凝集させることができ、凝集させた微粒子１５をハニカムフィルタ３にて良好に捕集することができる。特に、それぞれの電荷に帯電させた微粒子５ａ，５ｂをクーロン力によって引き寄せあわせて、少なくとも空間、具体的には、正放電電極部７及び負放電電極部８よりも下流側の空間で凝集させることができるため、簡便な構成の装置であっても、極めて効率よく微粒子を凝集させることができる。このような凝集微粒子１５を含む排気ガス６は、ハニカムフィルタ３によって浄化され、浄化された浄化ガス９は、ハニカムフィルタ３の下流側より排出される。特に、本実施形態の排気ガス処理装置１においては、肥大化した凝集微粒子１５をハニカムフィルタ３にて捕集するため、従来の排気ガス処理装置に用いられるハニカムフィルタよりも、セル密度や隔壁の平均細孔径等の大きなハニカムフィルタを用いたとしても、捕集効率を低下させることなく微粒子を良好に捕集することができる。このようなハニカムフィルタは、初期状態の圧力損失が小さく、エンジン等の内燃機関に掛かる負担を軽減することができる。
【００３８】
また、本実施形態の排気ガス処理装置１は、従来の排気ガス処理装置のように全ての微粒子を単一の電荷に帯電させるものではないため、ブラウン運動の自由拡散による微粒子５の衝突を阻害することがなく、ブラウン運動による凝集効果についても期待することができる。
【００３９】
また、それぞれの電荷に帯電させた微粒子５ａ，５ｂは、ハニカムフィルタ３の上流側の空間（流路を形成する管体４の内部空間）だけではなく、ハニカムフィルタ３に流入した後、ハニカムフィルタ３内の空間においても凝集が行われるため、静電凝集器２とハニカムフィルタ３とを近接させて配置したとしても、微粒子５ａ，５ｂを良好に凝集させることができる。更に、このような微粒子５ａ，５ｂは、上記した空間にて凝集させるだけでなく、例えば、流路を形成する管体４の表面に付着させることによっても凝集させることができる。
【００４０】
また、本実施の形態の排気ガス処理装置１は、それぞれ極性の異なる電荷に帯電させた微粒子５ａ，５ｂ同士をクーロン力によって引き寄せあわせて、流路を形成する管体４の内部空間及びハニカムフィルタ３内の空間で凝集させるため、従来の排気ガス処理装置（例えば、特許文献２参照）ような、微粒子を引き寄せるための電極等を用いる必要がなく、極めて簡素な構成であり、従来の排気ガス処理装置と比較して部品点数を大幅に削減することができる。このため、大きな振動等が加わる自動車等の排気ガス処理装置として好適に用いることができる。
【００４１】
［静電凝集器］
ここで、本実施の形態の排気ガス処理装置に用いられる静電凝集器について更に具体的に説明する。この静電凝集器２は、微粒子５に正又は負の電荷（図１においては、正の電荷）を与えるための第一の放電１７を生じさせる第一放電電極部７と、微粒子５に第一の放電７とは異なる極性の電荷（図１においては、負の電荷）を与えるための第二の放電１８を生じさせる第二放電電極部８との二つの電極部を有しており、排気ガス６中に含まれる微粒子の一部を正の電荷に帯電させるとともに、残りの微粒子を負の電荷に帯電させることができる。
【００４２】
第一放電電極部７と第二放電電極部８とは、それぞれの放電（第一の放電１７及び第二の放電１８）の発生の妨害をしないような位置に配置されている。図１〜図３に示す排気ガス処理装置１においては、管体４における流れ方向の中央部分に、それぞれの電極部の先端が管体４の内側面の反対側を向くように配置されている。
【００４３】
図１〜図３に示す排気ガス処理装置１においては、第一放電電極部７及び第二放電電極部８が、流路を形成する管体４の内側面をそれぞれの対向電極としてコロナ放電を行うように構成された場合の例を示している。なお、例えば、本実施形態の排気ガス処理装置１においては、図４及び図５に示すように、第一放電電極部７及び第二放電電極部８が、それぞれ誘電体１９を有し、誘電体１９の表面にそれぞれ極性の異なる沿面放電を行うように構成されたものであってもよい。ここで、図４は、本発明の排気ガス処理装置の他の実施形態に用いられる静電凝集器の構成を模式的に示す説明図であり、図５は、図４に示す静電凝集器を流路の流れ方向に垂直な面で切断した断面図である。更に、本実施形態の排気ガス処理装置においては、図示は省略するが、第一放電電極部と第二放電電極部とが異なる構成、例えば、異なる形状や、異なる放電方式であってもよい。具体的には、一方の電極部が図２に示すようなコロナ放電を行うように構成され、他方の電極部が図４に示すような沿面放電を行うように構成されたものであってもよい。
【００４４】
図１〜図３に示すようなコロナ放電を行うように構成された電極部（第一放電電極部７及び第二放電電極部８）は、電極構造が簡単であるとともに、直流電源（ＤＣ電源）、交流電源（ＡＣ電源）、パルス電源等のすべての高圧電源での使用が可能である。特に、直流電源はスイッチング周波数の高周波化により小型化が可能であり、排気ガス処理装置全体の小型化に大きく寄与することができる。一方、図４及び図５に示すような誘電体１９の表面に沿面放電を行うように構成された電極部（第一放電電極部７及び第二放電電極部８）は、低抵抗率の微粒子が付着することによる絶縁低下やガス温度、ガス性状などの影響がなく、安定した放電を行うことができる。
【００４５】
図１〜図３に示すような、コロナ放電を行うように構成された電極部（第一放電電極部７及び第二放電電極部８）は、鋭角に形成されたそれぞれの電極部の先端と、管体４の内側面との間に高電圧を印加することによってコロナ放電を行うものである。このような電極部の形状等については特に制限はないが、例えば、針状や棒状、板状等の先端が鋭く電界が集中する形状であることが好ましい。
【００４６】
管体４の内側面をそれぞれの対向電極としてコロナ放電を行う場合には、それぞれの電極部（第一放電電極部７及び第二放電電極部８）の先端と、管体４の内側面との間隔が、５〜４０ｍｍであることが好ましく、１５〜３０ｍｍであることが更に好ましい。電極部の先端と、管体の内側面との間隔が、５ｍｍ未満であると、針状の電極部の先端と管体の内側面との間隔（放電電極間距離）が狭すぎて、イオンの移動も管体への移動と管体上での凝集が主体となり、排気ガス全体の荷電及び凝集が効率的に行われなくなることがある。また、針状の電極部の先端での電界集中が小さくなり、安定した放電が難しくなることがある。一方、４０ｍｍを超えると、針状の電極部の先端と管体の内側面との間隔が広くなりすぎて放電が生じ難くなったり、放電を生じさせるのに極めて大きな電圧が必要となることがある。
【００４７】
また、図４及び図５に示すような、沿面放電を行うように構成された電極部（第一放電電極部７及び第二放電電極部８）は、電源２０の高電圧部２２に接続された高電圧の導電体２８が誘電体１９の表面にコイル状に捲回されるとともに、誘電体１９の内部に接地電極２４が配置されており、接地電極２４のゼロ電位に対して、それぞれの導電体２８に正又は負の高電圧が印加されて誘電体１９の表面に沿面放電を生じるように構成されている。
【００４８】
なお、このような沿面放電を行うように構成された電極部（第一放電電極部７及び第二放電電極部８）を用いた場合は、この電極部単独で沿面放電を行うことが可能であるが、例えば、管体４の内側面をそれぞれの電極部の接地電極とし、この電極部と管体４との間に更に電界を生じさせてもよい。
【００４９】
図４及び図５に示すような沿面放電を行うように構成された電極部に用いられる誘電体は、誘電体として好適に用いることができるものであれば、その材料については特に制限はないが、例えば、酸化アルミニウム、酸化マグネシウム、酸化珪素、窒化珪素、窒化アルミニウム、ムライト、スピネル、コージェライト、マグネシウム−カルシウム−チタン系酸化物、バリウム−チタン−亜鉛系酸化物、及びバリウム−チタン系酸化物からなる群から選ばれる少なくとも一種の化合物を含むことが好ましい。このような化合物を含む誘電体は、温度変動が発生しても破壊し難く、耐熱衝撃性に優れたものである。
【００５０】
ここで、図１〜図３に示す排気ガス処理装置において、微粒子を凝集する過程について更に具体的に説明する。図１〜図３に示す排気ガス処理装置１は、交流電源２０を直流に整流して電源として用いた直流方式の静電凝集器２を備えたものである。具体的な電源の構成としては、図２に示すように、交流電源２０にトランス２１が接続され、このトランス２１にてエネルギーを蓄積し、これを放出することによって高電圧部２２が形成されている。そして、ダイオード２３の整流作用によって高電圧部２２は直流に変換され、抵抗２７（高抵抗、例えば、５００ｋ〜２０ＭΩ）を経由して、第一放電電極部７（正極側）に接続されている。高電圧が印加された第一放電電極部７は、管体４の内側面を対向電極（負極側）としてコロナ放電（第一の放電）を行う。なお、抵抗２７は、電極部と管体との間のインピーダンスが下がった場合に、流れる電流を制限して、放電がアーク放電になることを抑制するための制限抵抗として用いられている。
【００５１】
一方、第二放電電極部８については、管体４の内側面を対向電極とするため、管体４の内側面に、交流電源２０を直流に整流した高電圧を印加し、管体４の内側面から第二放電電極部８に向けてコロナ放電（第二の放電）を行う。即ち、管体４の内側面が正極側となり、第二放電電極部８が負極側となる。
【００５２】
第一放電電極部７によるコロナ放電（第一の放電１７）においては、針状の電極部（第一放電電極部７）の先端に正の高電圧を印加すると、針状の電極部の先端近傍でコロナ放電が発生し弱電離のプラズマが形成される。プラズマ中では正イオンと電子が発生するが、発生した電子は針状の先端から第一放電電極部７に流れ、第一の放電１７によってできた正イオンは対向する電極（管体４の内側面）に移動する。排気ガス６中の微粒子５ａがこの正イオンと衝突することで、微粒子５ａを正の電荷に帯電させる。
【００５３】
一方、第二放電電極部８によるコロナ放電（第二の放電１８）においては、針状の電極部（第二放電電極部８）の先端に負の高電圧を印加すると、針状の電極部の先端近傍でコロナ放電が発生し弱電離のプラズマが形成される。プラズマ中では正イオンと電子が発生するが、発生した正イオンは針状の電極部の先端で電子と結合して直ぐに中和される。残った電子は、特に電子付着性のよい酸素等に付着することでイオン化し、この酸素イオンによって、排気ガス６中の微粒子５ｂを負の電荷に帯電させる。
【００５４】
このようにして、正又は負の電荷に帯電させた微粒子５ａ，５ｂは、クーロン力によって極性の異なる微粒子に引き寄せられ、互いが結合することによって凝集する。また、それぞれの微粒子５ａ，５ｂは、ブラウン運動の自由拡散によっても衝突を繰り返すため、更に凝集が促進される。
【００５５】
なお、図１〜図３に示す排気ガス処理装置においては、ダイオード２３の整流作用を利用した整流式の回路を用いたものを示しているが、直流電源については、例えば、フライバック方式、フォワード方式、共振方式等の回路を用いたものであってもよい。
【００５６】
また、本実施形態の排気ガス処理装置においては、例えば、図６に示すように、交流電源２０にトランス２１が接続され、このトランス２１にエネルギーを蓄積し、放出することによって高電圧部２２を形成し、この高電圧部２２における高電圧を交流のまま、それぞれの印加する電圧の極性が異なるように、即ち、第一放電電極部７と第二放電電極部８とに印加する電圧波形が半周期ずれるように、それぞれの電極部に電圧を印加して、極性の異なるコロナ放電を生じさせるものであってもよい。
【００５７】
なお、上記した交流電源２０から供給される電圧は、図６に示すような正弦波の電圧に限定されることなく、例えば、パルス電圧を供給する電源や方形波の電圧を供給する電源であってもよい。このような電圧を印加する場合には、電圧極性が反転する毎に、第一放電電極部７と第二放電電極部８とにおける荷電電荷の極性が変わることになる。
【００５８】
なお、パルス電圧を供給する電源を用いる場合には、ダイオード等によって整流を行う必要がないため、電源の構成を簡素化することができ、電源を低コストに製造することができる。また、パルス電圧を供給する電源を用いる場合には、電源のトランスを小型化することもできる。
【００５９】
正弦波、方形波、パルス等のトランスに正負に交番する電圧を印加する電源を用いる場合には、その周期については特に制限はないが、下記式（１）で示される荷電時定数τよりも長くすることが好ましい。この荷電時定数τより、使用する交流電圧の周期が短い場合には、微粒子の荷電が十分でなく、所望の凝集性能が得られないことがある。
【００６０】
荷電時定数τ＝４・ε０・Ｅ／Ｊ              （１）
（但し、ε０は真空の誘電率、Ｅは電界、Ｊはイオン電流密度を示す）
【００６１】
また、電源から供給される電圧をパルス電圧とした場合には、フラッシュオーバー電圧を高くすることができ、コロナ電流密度を高くすることができるため好ましい。特に、パルス電圧におけるパルス幅を短くすると、フラッシュオーバー電圧をより高くすることができる。具体的には、パルス幅を５０ｎｓ〜１００μｓとすることが好ましく、１００ｎｓ〜２０μｓとすることが更に好ましい。なお、本明細書において、パルス幅とは、波高値の５０％位置（立上り、立下り）の時間幅をいう。
【００６２】
また、電源から供給される電圧をパルス電圧とした場合には、電界Ｅの値を大きくすることができる。微粒子に与えられる電荷量は、この電界Ｅに比例するため、飽和電荷量を増大させることができる。
【００６３】
また、本実施形態の排気ガス処理装置においては、図７に示すように、第一放電電極部７と第二放電電極部８とのそれぞれに電圧を印加するための二つの電源２０ａ，２０ｂを用いたものであってもよい。このように、二つの電源２０ａ，２０ｂを用いる場合には、第一放電電極部７と第二放電電極部８とに印加させる極性が異なるように電源２０ａ，２０ｂの制御を行い、極性の異なる二つの放電を生じさせる。
【００６４】
また、図４及び図５に示すように、第一放電電極部７及び第二放電電極部８が、誘電体１９の表面にそれぞれ極性の異なる沿面放電を行うように構成されたものである場合には、電源２０として、正弦波、方形波、パルス等のトランスに正負に交番する電圧を印加する電源（図４においては、正弦波の交流電源）を用い、トランス２１にてエネルギーを蓄積し、これを放出することによって高電圧部２２を形成し、第一放電電極部７及び第二放電電極部８に極性の異なる高電圧を印加する。
【００６５】
第一放電電極部及び第二放電電極部に印加する電圧や電力の具体的な値については、流路となる管体の大きさ、流路を通過する排気ガスの流量や流速、更に排気ガスに含まれる微粒子の量や大きさ等によって、適切な放電を生じさせることができるように適宜選択されるものであるが、例えば、ディーゼルエンジンから排出される排気ガスを処理する場合には、電圧は、２〜２５ｋＶであることが好ましく、５〜２５ｋＶであることが更に好ましい。また、電力は、１〜５０Ｗであることが好ましく、５〜２５Ｗであることが更に好ましい。このように構成することによって、ディーゼルエンジンから排出される排気ガスを良好に処理することができる。
【００６６】
また、本実施形態の排気ガス処理装置においては、図１に示すように、管体４の一部が、排気ガス６の流れ方向に平行となるようにその内部空間が二つに仕切られて、第一流路２５と第二流路２６とが形成されており、第一流路２５に一方の電極部（第一放電電極部７）が配置されるとともに、第二流路２６に他方の電極部（第二放電電極部８）が配置されていてもよい。このように構成することによって、第一流路２５と第二流路２６とで、それぞれ極性の異なる電荷に帯電された微粒子５ａ，５ｂを良好に生成することができる。勿論、本実施形態の排気ガス処理装置においては、このように管体の内部空間を二つに仕切らずに、単に、第一放電電極部と第二放電電極部との先端が、管体の内側面の反対側を向くように配置されたものであってもよい。
【００６７】
また、本実施形態の排気ガス処理装置１においては、例えば、第一放電電極部７によって生じる第一の放電１７の荷電量と、第二放電電極部８によって生じる第二の放電１８の荷電量とを、それぞれ独立して制御可能に構成されたものであってもよい。このように構成することによって、例えば、正の電荷を与えた微粒子５ａと負の電荷を与えた微粒子５ｂとで、それぞれの荷電量を異ならせることができる。
【００６８】
このような微粒子５ａ，５ｂを凝集させた場合には、凝集微粒子１５が正又は負のどちらか一方の電荷が残った状態となり、未だ凝集していない他の微粒子５ａ，５ｂや別の凝集微粒子１５との凝集が連続して起こり易くなり、凝集効率をより向上させるとともに、凝集微粒子１５の粒子径を大きくすることができる。これによって、ハニカムフィルタの捕集効率をより向上させることができる。特に、一方の電荷が残った状態の凝集微粒子は、比較的粒子径の小さい微粒子（例えば、未だ凝集していない他の微粒子）との凝集がより起こり易くなるため、凝集されずにハニカムフィルタに流入してしまう微粒子の量を減少させることができ、セル密度や隔壁の平均細孔径等の大きなハニカムフィルタを用いたとしても、捕集効率を低下させることなく微粒子を良好に捕集することができる。
【００６９】
また、これまでに説明した本実施形態の排気ガス処理装置においては、静電凝集器の第一放電電極部及び第二放電電極部は、それぞれ一つずつ管体の内部に配置されたものであるが、例えば、図示は省略するが、静電凝集器が、第一放電電極部及び第二放電電極部の少なくとも一方を二つ以上有するものであり、二つ以上の第一放電電極部及び／又は第二放電電極部が、管体の内部に、排気ガスの流れ方向にそれぞれ直列に配置されているものであってもよい。このように構成することによって、一度凝集させた凝集微粒子に再度電荷を与えて、凝集微粒子同士の凝集を更に促進させることができ、より粒子径の大きな凝集微粒子を生成することができる。
【００７０】
例えば、静電凝集器が、第一放電電極部及び第二放電電極部をそれぞれ二つ有し、それぞれの電極部が、管体の内部に、排気ガスの流れ方向にそれぞれ直列に配置されているものである場合には、まず、上流側の第一放電電極部及び第二放電電極部にて生じる放電によって微粒子に正又負の電荷を与え、これらの微粒子をクーロン力によって引き寄せあわせて、少なくとも空間で凝集させた後、下流側の第一放電電極部及び第二放電電極部にて生じる放電によって、得られた凝集微粒子に更に正又は負の電荷を与え、これらの凝集微粒子をクーロン力によって引き寄せあわせて更に凝集させることができる。
【００７１】
なお、このように、二つ以上の第一放電電極部及び／又は第二放電電極部が、管体の内部に、排気ガスの流れ方向にそれぞれ直列に配置されている場合には、帯電させた微粒子を、直列に配置されている電極部相互間で良好に凝集させることができるように、所定の間隔を隔てて直列に配置されていることが好ましい。なお、管体の内部に配置する第一放電電極部と第二放電電極部との数は同じであってもよいし、異なっていてもよい。
【００７２】
また、本実施形態の排気ガス処理装置においては、上記した静電凝集器が第一放電電極部及び／又は第二放電電極部を二つ以上有する構成に代えて、例えば、静電凝集器自体を二つ以上備え、二つ以上の静電凝集器が、管体の内部に、排気ガスの流れ方向に直列に配置されているものであってもよい。このように構成することによって、同様の効果、即ち、一度凝集させた凝集微粒子に再度電荷を与えて、凝集微粒子同士の凝集を更に促進させることができ、より粒子径の大きな凝集微粒子を生成することができる。
【００７３】
［管体］
本実施形態の排気ガス処理装置を構成する管体は、自動車用エンジン、建設機械用エンジン、産業機械用定置エンジン等の内燃機関、その他の燃焼機器等から排出される排気ガスが通過する流路となり、その内部に静電凝集器が配置されたものである。更に、この管体は、第一の放電及び第二の放電がコロナ放電である場合には、第一放電電極部及び第二放電電極部の対向電極となるものである。
【００７４】
管体の材質については、特に制限はないが、導電性材料、例えば、自動車の排気管に使用されるステンレス材を好適に用いることができる。このような導電性材料は、コロナ放電を行うための電極部の対向電極として好適に用いることができるのは勿論のこと、このように構成された管体を、沿面放電を行うための電極部に対する接地電極として用いて、沿面放電を行うための電極部と管体との間に電界を生じさせることもできる。
【００７５】
［ハニカムフィルタ］
図１に示すように、本実施形態の排気ガス処理装置１に用いられるハニカムフィルタ３は、静電凝集器２によって凝集させた微粒子１５を捕集するためのフィルタである。このようなハニカムフィルタ３としては、エンジン等の排気ガスに含有される微粒子を捕集するための従来公知のディーゼルパティキュレートフィルタ（ＤＰＦ）として使用されるものを好適に用いることができる。
【００７６】
例えば、このようなハニカムフィルタ３としては、排気ガスが通過する流路となる複数のセル１２を区画形成する多孔質の隔壁１１を備え、一方の端部（フィルタ入口端部）が開口され且つ他方の端部（フィルタ出口端部）が目封じされた所定のセル（入口開放セル）と、フィルタ入口端部が目封じされ且つフィルタ出口端部が開口された残余のセル（出口開放セル）とが交互に配設されてなるものであることが好ましい。なお、符号１３は、セル１２の端部を目封じする目封じ部を示している。
【００７７】
ハニカムフィルタを構成する隔壁の材質は、特に限定されるものではない。強度、耐熱性の観点から、炭化珪素、珪素−炭化珪素系複合材料、コージェライト、窒化珪素、ムライト、アルミナ、スピネル、炭化珪素−コージェライト系複合材、珪素−炭化珪素複合材、リチウムアルミニウムシリケート、チタン酸アルミニウム、Ｆｅ−Ｃｒ−Ａｌ系金属からなる群から選択される少なくとも一種を用いることが好ましい。
【００７８】
このようなハニカムフィルタは、捕集した微粒子が隔壁上に堆積してくると、その圧力損失が上昇するためにエンジンに負担が掛かり、燃費、ドライバビリティが低下する。このため、定期的にヒーター等の加熱手段を用いて再生を行ったり、エンジン制御によってポストインジェクションを実施し、未燃焼燃料を酸化して排気ガス温度を上昇させ、隔壁上に堆積した微粒子を燃焼させて再生を行ったりして、フィルタ機能を再生させることが好ましい。
【００７９】
このため、ハニカムフィルタは、上記した再生時における燃焼を促進させるため、隔壁の表面及び／又は隔壁の内部に触媒が担持されたものであることが好ましい。このような触媒としては、排気ガスの熱により微粒子を燃焼することができれば特に限定されるものではないが、例えば、貴金属元素、元素周期表ＶＩａ族の元素、及び、元素周期表ＶＩＩＩ族の元素の中から選ばれる元素を担持させることができる。具体的には、白金（Ｐｔ）、パラジウム（Ｐｄ）、ロジウム（Ｒｈ）、ニッケル（Ｎｉ）、コバルト（Ｃｏ）、モリブデン（Ｍｏ）、タングステン（Ｗ）、セリウム（Ｃｅ）、銅（Ｃｕ）、バナジウム（Ｖ）、鉄（Ｆｅ）、金（Ａｕ）、銀（Ａｇ）等を挙げることができ、これらの中から選択される少なくとも一種の単体又は化合物を使用することができる。また、ＮＯｘ選択還元型触媒成分やＮＯｘ吸蔵型触媒成分を担持してもよい。
【００８０】
また、上記したように、本実施形態の排気ガス処理装置においては、肥大化した凝集微粒子をハニカムフィルタにて捕集するため、従来の排気ガス処理装置に用いられるハニカムフィルタよりも、セル密度や隔壁の平均細孔径の大きなハニカムフィルタを用いたとしても、捕集効率を低下させることなく微粒子を良好に捕集することができる。このようなハニカムフィルタは、初期状態の圧力損失が小さく、エンジン等の内燃機関に掛かる負担を軽減することができる。
【００８１】
具体的には、本実施形態の排気ガス処理装置に用いられるハニカムフィルタは、そのセル密度が、５０〜３００セル／ｃｍ２のものであることが好ましく、１００〜２００セル／ｃｍ２のものであることが更に好ましい。また、ハニカムフィルタは、その隔壁の平均細孔径が、２０〜１５０μｍであることが好ましく、４０〜１００μｍであることが更に好ましい。なお、この平均細孔径は、「ＪＡＳＯ  自動車規格  自動車排気ガス浄化触媒セラミックモノリス担体の試験方法  Ｍ５０５−８７の６．３に記載の全細孔容積、メジアン細孔径」の方法で測定された値である。
【００８２】
また、特に限定されることはないが、本実施形態の排気ガス処理装置に用いられるハニカムフィルタは、その隔壁の気孔率が、３０〜８０％であることが好ましく、４０〜６０％であることが更に好ましい。なお、上記した気孔率は、細孔容積より算出の方法で測定された値である。このようなハニカムフィルタを用いることによって、排気ガス処理装置の圧力損失を小さくすることができる。
【産業上の利用可能性】
【００８３】
本発明の排気ガス処理装置は、自動車用エンジン、建設機械用エンジン、産業機械用定置エンジン等の内燃機関、その他の燃焼機器等から排出される排気ガス中の微粒子や有害物質の除去に利用することができる。特に、排気ガス中の微粒子を効率的に除去するための排気ガス処理装置として好適に用いることができる。
【図面の簡単な説明】
【００８４】
【図１】本発明の排気ガス処理装置の一の実施形態を模式的に説明する説明図であり、排気ガスが通過する流路の流れ方向に平行な面で切断した断面図である。
【図２】図１の排気ガス処理装置を構成する静電凝集器の構成を模式的に示す説明図である。
【図３】図２に示す静電凝集器を流路の流れ方向に垂直な面で切断した断面図である。
【図４】本発明の排気ガス処理装置の他の実施形態に用いられる静電凝集器の構成を模式的に示す説明図である。
【図５】図４に示す静電凝集器を流路の流れ方向に垂直な面で切断した断面図である。
【図６】本発明の排気ガス処理装置の他の実施形態に用いられる静電凝集器の構成を模式的に示す説明図である。
【図７】本発明の排気ガス処理装置の他の実施形態に用いられる静電凝集器の構成を模式的に示す説明図である。
【符号の説明】
【００８５】
１：排気ガス処理装置、２：静電凝集器、３：ハニカムフィルタ、４：流路、５，５ａ，５ｂ：微粒子、６：排気ガス、７：第一放電電極部、８：第二放電電極部、９：浄化ガス、１１：隔壁、１２：セル、１３：目封じ部、１５：凝集させた微粒子（凝集微粒子）、１７：第一の放電、１８：第二の放電、１９：誘電体、２０，２０ａ，２０ｂ：電源、２１：トランス、２２：高電圧部、２３：ダイオード、２４：接地電極、２５：第一流路、２６：第二流路、２７：抵抗、２８：導電体。
【図１】
2008051037.tif 000003
【図２】
2008051037.tif 000004
【図３】
2008051037.tif 000005
【図４】
2008051037.tif 000006
【図５】
2008051037.tif 000007
【図６】
2008051037.tif 000008
【図７】
2008051037.tif 000009